(57)【特許請求の範囲】
【請求項１】
上下２端（１０ａ，１０ｂ）を有するように上下方向に直線状に延びている中棒（１０）と、
前記中棒（１０）の上端（１０ａ）に滑り部材を介して回転可能に設けられている上ろくろ（２０）と、
前記中棒（１０）に摺動可能に外嵌している下ろくろ（３０）と、
前記上ろくろ（２０）と前記下ろくろ（３０）とに枢止されていて、前記下ろくろ（３０）の中棒（１０）に沿った上下摺動によって開閉される骨組み（４０）と、
前記骨組み（４０）に載置されていて、該骨組み（４０）の開閉によって展開されたり収縮されたりする傘地（５０）とからなり、
前記骨組み（４０）や前記傘地（５０）に力がかかると、前記上ろくろ（２０）、前記下ろくろ（３０）、前記骨組み（４０）及び前記傘地（５０）が共に前記中棒（１０）の軸線（Ｌ）を中心として回転可能としており、
前記中棒（１０）は、少なくとも上端部（１１）が前記上端（１０ａ）において上向きに開口した中空状に形成され、
前記上ろくろ（２０）の下端面（２５）に、中心凹孔（２５２）が開設され、
前記滑り部材は、滑り座（６２１）と滑り子（６２２）とからなり、
前記滑り座（６２１）は、前記中棒（１０）の上端部（１１）内に固着され、且つ、その内壁（６２１ａ）に、環状であって中孔（６２１ｃ）を有する鍔（６２１ｂ）が径方向に突出されており、
前記滑り子（６２２）は、小径の上部（６２２ａ）と大径の下部（６２２ｂ）とその間に形成されている階段部（６２２ｃ）とからなり、前記上部（６２２ａ）は前記中心凹孔（２５２）に挿着し、前記下部（６２２ｂ）が前記滑り座（６２１）における鍔（６２１ｂ）の下の部分にあって該階段部（６２２ｃ）によって前記中孔（６２１ｃ）を回転可能に引っ掛けられていることを特徴とする傘。
【請求項２】
上下２端（１０ａ，１０ｂ）を有するように上下方向に直線状に延びている中棒（１０）と、
前記中棒（１０）の上端（１０ａ）に滑り部材を介して回転可能に設けられている上ろくろ（２０）と、
前記中棒（１０）に摺動可能に外嵌している下ろくろ（３０）と、
前記上ろくろ（２０）と前記下ろくろ（３０）とに枢止されていて、前記下ろくろ（３０）の中棒（１０）に沿った上下摺動によって開閉される骨組み（４０）と、
前記骨組み（４０）に載置されていて、該骨組み（４０）の開閉によって展開されたり収縮されたりする傘地（５０）とからなり、
前記骨組み（４０）や前記傘地（５０）に力がかかると、前記上ろくろ（２０）、前記下ろくろ（３０）、前記骨組み（４０）及び前記傘地（５０）が共に前記中棒（１０）の軸線（Ｌ）を中心として回転可能としており、
前記中棒（１０）は、少なくとも上端部（１１）が上端において上向きに開口した中空状に形成され、
前記上ろくろ（２０）の下端面（２５）に、孔口（２６ａ）を小径とした中心凹孔（２６）が形成され、
前記滑り部材は、受け座（６４１）と滑り子（６４２）とを備え、
前記受け座（６４１）は、中孔（６４１ａ）を有するものであって前記中棒（１０）の上端部（１１）の内周面（１１ａ）に固着され、
前記滑り子（６４２）は、大径の上部（６４２ａ）と小径の下部（６４２ｂ）とその間に形成されている階段部（６４２ｃ）とからなり、前記下部（６４２ｂ）が前記受け座（６４１）の中孔（６４１ａ）内に挿着され、前記上部（６４２ａ）が該中心凹孔（２６）内にあって前記階段部（６４２ｃ）によって前記孔口（２６ａ）を回転可能に引っ掛けていることを特徴とする傘。
【請求項３】
上下２端（１０ａ，１０ｂ）を有するように上下方向に直線状に延びている中棒（１０）と、
前記中棒（１０）の上端（１０ａ）に滑り部材を介して回転可能に設けられている上ろくろ（２０）と、
前記中棒（１０）に摺動可能に外嵌している下ろくろ（３０）と、
前記上ろくろ（２０）と前記下ろくろ（３０）とに枢止されていて、前記下ろくろ（３０）の中棒（１０）に沿った上下摺動によって開閉される骨組み（４０）と、
前記骨組み（４０）に載置されていて、該骨組み（４０）の開閉によって展開されたり収縮されたりする傘地（５０）とからなり、
前記骨組み（４０）や前記傘地（５０）に力がかかると、前記上ろくろ（２０）、前記下ろくろ（３０）、前記骨組み（４０）及び前記傘地（５０）が共に前記中棒（１０）の軸線（Ｌ）を中心として回転可能としており、
前記中棒（１０）は、少なくとも上端部（１１）が上端において上向きに開口した中空状に形成され、
前記上ろくろ（２０）の上端面に大径の中心取付孔（２８）が、下端面（２５）に前記中心取付孔（２８）と連通する小径の貫通孔（２９）がそれぞれ開設され、前記大径の中心取付孔（２８）と該小径の貫通孔（２９）との間に階段部（２８ａ）が形成され、
前記滑り部材は、受け座（６５１）と滑り子（６５２）とからなり、
前記受け座（６５１）は、中心凹孔（６５１ａ）を有するものであって前記中棒（１０）の上端部（１１）に固着され、
前記滑り子（６５２）は、大径の上部（６５２ａ）と小径の下部（６５２ｂ）とその間に形成されている階段部（６５２ｃ）とからなり、前記下部（６５２ｂ）が前記貫通孔（２９）を通過して前記受け座（６５１）の中心凹孔（６５１ａ）内に挿着され、前記上部（６５２ａ）が前記中心取付孔（２８）内にあってその階段部（６５２ｃ）によって前記上ろくろ（２０）の階段部（２８ａ）を回転可能に引っ掛けられていることを特徴とする傘。
【請求項４】
上下２端（１０ａ，１０ｂ）を有するように上下方向に直線状に延びている中棒（１０）と、
前記中棒（１０）の上端（１０ａ）に滑り部材を介して回転可能に設けられている上ろくろ（２０）と、
前記中棒（１０）に摺動可能に外嵌している下ろくろ（３０）と、
前記上ろくろ（２０）と前記下ろくろ（３０）とに枢止されていて、前記下ろくろ（３０）の中棒（１０）に沿った上下摺動によって開閉される骨組み（４０）と、
前記骨組み（４０）に載置されていて、該骨組み（４０）の開閉によって展開されたり収縮されたりする傘地（５０）とからなり、
前記骨組み（４０）や前記傘地（５０）に力がかかると、前記上ろくろ（２０）、前記下ろくろ（３０）、前記骨組み（４０）及び前記傘地（５０）が共に前記中棒（１０）の軸線（Ｌ）を中心として回転可能としており、
前記中棒（１０）は、少なくとも上端部（１１）が前記上端（１０ａ）において上向きに開口した中空状に形成されており、該上端部（１１）が上端（１０ａ）から下向きに大径部（１１１）と小径部（１１２）とその間に形成されている階段部（１１３）とからなり、前記大径部（１１１）の周面に、その軸心を中心として互いに対称に位置する一対の通孔（１１４）が設けられ、
前記滑り部材は、前記大径部（１１１）の外側から前記一対の通孔（１１４）をそれぞれ通して前記大径部（１１１）の内に突出して前記通孔（１１４）に受けられている一対のボール（６８１，６８１）と、これら一対のボール（６８１，６８１）の間に両ボール（６８１，６８１）を押圧して外向きに付勢力を与えるように設けられている弾性部材（６８２）と、滑り子（６８３）とからなり、
前記滑り子（６８３）は、中空の筒状に形成されており、その下部（６８３Ｂ）が前記中棒（１０）の大径部（１１１）を回転可能に外嵌している大径部（６８３ａ）と前記中棒（１０）の小径部（１１２）を回転可能に外嵌している小径部（６８３ｂ）とその間に形成されて前記中棒（１０）の階段部（１１３）に回転可能に引っかけられている階段部（６８３ｃ）とからなり、その上部（６８３Ａ）が前記上ろくろ（２０）の下部（２２）に嵌着され、前記下部（６８３Ｂ）に設けた環状凹溝（８３１ｃ）が、前記ボール（６８１，６８１）の前記大径部（１１１）から突出している部分と弾性的に接触しながらそれらを受けていることを特徴とする傘。
【発明の詳細な説明】
【０００１】
【発明の属する技術分野】
本発明は、傘に関し、特に、上ろくろや下ろくろ、骨組みなどが中棒に対して回動可能な傘に関する。
【０００２】
【従来の技術】
従来の傘は、図６に示すように、上下２端を有するように上下方向に直線状に延びている中棒１と、該中棒１の上端に固着されている上ろくろ２と、前記中棒１を摺動可能に外嵌している下ろくろ３と、前記上ろくろ２と前記下ろくろ３とに枢止されていて、前記下ろくろ３の中棒１上の上下摺動によって開閉される骨組み４（図示の例は複数の親骨４１と複数の受骨４２とからなっている）と、前記骨組み４に載置されていて、骨組み４の開閉によって展開されたり収縮されたりする傘地５とからなっている。
【０００３】
【発明が解決しようとする課題】
しかしながら、前記傘は、前記傘地５を展開して開傘状態に保持している内に、強風に遭ったり、傘地５や親骨４１が物や人に当たったりする場合、骨組み４が上ろくろ２を中心に捻じられるので、骨が曲がったり折れたりする事例が多くあり、捻じれの反発力によって骨などが人を刺して怪我をさせる事例も少なくなかった。
【０００４】
本発明は、前記事情を鑑みてなされたものであり、骨組みや傘地に力がかかると、前記上ろくろ、前記下ろくろ、前記骨組み及び傘地が共に前記中棒に対して回動可能に構成される傘を提供することを課題とする。
【０００５】
【課題を解決するための手段】
前記課題を解決するため、本発明の傘は、上下２端を有するように上下方向に直線状に延びている中棒と、前記中棒の上端に滑り部材を介して回転可能に設けられている上ろくろと、前記中棒に摺動可能に外嵌している下ろくろと、前記上ろくろと前記下ろくろとに枢止されていて、前記下ろくろの中棒に沿った上下摺動によって開閉される骨組みと、前記骨組みに載置されていて、該骨組みの開閉によって展開されたり収縮されたりする傘地とからなり、前記骨組みや前記傘地に力がかかると、前記上ろくろ、前記下ろくろ、前記骨組み及び前記傘地が共に前記中棒の軸線を中心として回転可能としたものにおいて、下記構成としている。
【０００６】
即ち、本発明の第１の傘は、前記中棒は、少なくとも上端部が前記上端において上向きに開口した中空状に形成され、前記上ろくろの下端面に、中心凹孔が開設され、前記滑り部材は、滑り座と滑り子とからなり、前記滑り座は、前記中棒の上端部内に固着され、且つ、その内壁に、環状であって中孔を有する鍔が径方向に突出されており、前記滑り子は、小径の上部と大径の下部とその間に形成されている階段部とからなり、前記上部は前記中心凹孔に挿着し、前記下部が前記滑り座における鍔の下の部分にあって該階段部によって前記中孔を回転可能に引っ掛けられている構成としている。
【０００７】
また、本発明の第２の傘は、前記中棒は、少なくとも上端部が上端において上向きに開口した中空状に形成され、前記上ろくろの下端面に、孔口を小径とした中心凹孔が形成され、前記滑り部材は、受け座と滑り子とを備え、前記受け座は、中孔を有するものであって前記中棒の上端部の内周面に固着され、前記滑り子は、大径の上部と小径の下部とその間に形成されている階段部とからなり、前記下部が前記受け座の中孔内に挿着され、前記上部が該中心凹孔内にあって前記階段部によって前記孔口を回転可能に引っ掛けている構成としている。
【０００８】
さらに、本発明の第３の傘は、前記中棒は、少なくとも上端部が上端において上向きに開口した中空状に形成され、前記上ろくろの上端面に大径の中心取付孔が、下端面に前記中心取付孔と連通する小径の貫通孔がそれぞれ開設され、前記大径の中心取付孔と該小径の貫通孔との間に階段部が形成され、前記滑り部材は、受け座と滑り子とからなり、前記受け座は、中心凹孔を有するものであって前記中棒の上端部に固着され、前記滑り子は、大径の上部と小径の下部とその間に形成されている階段部とからなり、前記下部が前記貫通孔を通過して前記受け座の中心凹孔内に挿着され、前記上部が前記中心取付孔内にあってその階段部によって前記上ろくろの階段部を回転可能に引っ掛けられている構成としている。
【０００９】
さらにまた、本発明の第４の傘は、前記中棒は、少なくとも上端部が前記上端において上向きに開口した中空状に形成されており、該上端部が上端から下向きに大径部と小径部とその間に形成されている階段部とからなり、前記大径部の周面に、その軸心を中心として互いに対称に位置する一対の通孔が設けられ、前記滑り部材は、前記大径部の外側から前記一対の通孔をそれぞれ通して前記大径部の内に突出して前記通孔に受けられている一対のボールと、これら一対のボールの間に両ボールを押圧して外向きに付勢力を与えるように設けられている弾性部材と、滑り子とからなり、前記滑り子は、中空の筒状に形成されており、その下部が前記中棒の大径部を回転可能に外嵌している大径部と前記中棒の小径部を回転可能に外嵌している小径部とその間に形成されて前記中棒の階段部に回転可能に引っかけられている階段部とからなり、その上部が前記上ろくろの下部に嵌着され、前記下部に設けた環状凹溝が、前記ボールの前記大径部から突出している部分と弾性的に接触しながらそれらを受けている構成としている。
【００１０】
これらの傘によれば、前記骨組みや前記傘地に力がかかると、前記上ろくろ、前記下ろくろ、前記骨組み及び傘地が共に前記中棒に対し回動することができるので、骨、中棒が曲がったり折れたりすることや、人を刺して怪我をさせるケースを大幅に低減させることができる。
【００１１】
【発明の実施の形態】
以下、本発明の実施の形態を図面を参照して詳細に説明する。
【００１２】
本発明を詳細に説明する前に、図面中、同様の構成要素は同じ参照番号が付けられることを明記する。
【００１３】
図１は、本発明にかかる実施形態の前提となる参考例の傘の構成を示している。図示のように、参考例の傘は、上下２端１０ａ，１０ｂを有するように上下方向に直線状に延びている中棒１０と、前記中棒１０の上端１０ａに回転可能に設けられている上ろくろ２０と、前記中棒１０に摺動可能に外嵌している下ろくろ３０と、前記上ろくろ２０と前記下ろくろ３０とに枢止されていて、前記下ろくろ３０の中棒１０に沿った上下摺動によって開閉される骨組み４０と、前記骨組み４０に載置されていて、該骨組み４０の開閉によって展開されたり収縮されたりする傘地５０とからなっている。
【００１４】
前記中棒１０は、少なくとも上端部１１が中空状に形成されていることが好ましいが、必要な場合に応じて例えば軽量化を図るために、全体が中空状に形成されてもよい。前記上端部１１が前記上端１０ａにおいて上向きに開口し、該上端部１１の内周面１１ａに、環状であって中孔１２ａを有する鍔１２が径方向に突出するように設けられている。
【００１５】
前記上ろくろ２０の上部２１に石突き９０が前記傘地５０を介して設けられ、下部２２が前記中棒１０の上端１０ａの開口及び前記鍔１２の中孔１２ａを通過して前記上端部１１における鍔１２の下の部分に挿入している。この上ろくろ２０の下部２２の下端部にはテーパ付きフランジ２２１が形成され、該テーパ付きフランジ２２１が前記鍔１２に回転可能に引っ掛けられている。また、この実施形態の傘において、前記上ろくろ２０の下部２２を容易に前記中棒１０の上端部１１内に挿入させ得るために、前記上ろくろ２０に、その下端面２５を横断して軸線に沿って割り込んだ長溝２５１が形成されている。
【００１６】
このように構成した傘は、前記骨組み４０や前記傘地５０に外力がかかると、前記上ろくろ２０、前記下ろくろ３０、前記骨組み４０及び前記傘地５０が共に前記中棒１０の軸線Ｌを中心として前記外力を解消する程度の回転（回動）をすることができる。そのため、骨組４０、中棒１０が簡単に曲がったり折れたりすることなく、傘の使用寿命を長くすることができ、人を刺して怪我をさせるケースも大幅に低減させることができる。
【００１７】
図２は、本発明の第１実施形態の傘を示す。この傘は、上ろくろ２０が滑り部材を介して中棒１０に回転可能に設けられている構成である。この傘では、前記中棒１０は、少なくとも上端部１１が前記上端１０ａにおいて上向きに開口した中空状に形成され、前記上ろくろ２０の下端面２５に、中心凹孔２５２が開設されている。
【００１８】
この実施形態における前記滑り部材は、滑り座６２１と滑り子６２２とからなる。前記滑り座６２１は、前記中棒１０の上端部１１内に横ピン１６によって貫通されて固着され、且つ、その内壁６２１ａに、環状であって中孔６２１ｃを有する鍔６２１ｂが径方向に突出されている。前記滑り子６２２は、小径の上部６２２ａと大径の下部６２２ｂとその間に形成されている階段部６２２ｃとからなる。前記滑り子６２２の上部６２２ａは、前記中心凹孔２５２に挿入し、他の横ピン２２５によって孔内に固定され、前記下部６２２ｂが前記滑り座６２１における鍔６２１ｂの下の部分にあって前記階段部６２２ｃによって前記中孔６２１ｃを回転可能に引っ掛けられている。
【００１９】
図３は、本発明の第２実施形態の傘を示す。この傘は、中棒１０の上端部１１が上向きに開口した中空状に形成されている。そして、上ろくろ２０の下端面２５には、孔口２６ａを小径とした中心凹孔２６が形成されている。滑り部材は、受け座６４１と滑り子６４２とを備えている。前記受け座６４１は、中孔６４１ａを有するものであって前記中棒１０の上端部１１の内周面１１ａに横ピン１８によって固着されている。前記滑り子６４２は、大径の上部６４２ａと小径の下部６４２ｂとその間に形成されている階段部６４２ｃとからなっている。そして、下部６４２ｂが前記受け座６４１の中孔６４１ａ内に挿着され、前記上部６４２ａが該中心凹孔２６内にあって前記階段部６４２ｃによって前記孔口２６ａを回転可能に引っ掛けている。なお、この例において、前記受け座６４１及び前記滑り子６４２の下部６４２ｂは、他の横ピン１８によって前記上端部１１内に定位されている。
【００２０】
図４は、本発明の第３実施形態の傘を示す。この傘は、中棒１０の上端部１１が上向きに開口した中空状に形成されている。そして、上ろくろ２０には、上端面に大径の中心取付孔２８が、下端面２５に前記中心取付孔２８と連通する小径の貫通孔２９がそれぞれ開設され、前記大径の中心取付孔２８と小径の貫通孔２９との間に階段部２８ａが形成されている。そして、該上ろくろ２０の下部２２が前記中棒１０の上端に回転・回動可能に外嵌している。
【００２１】
前記滑り部材は、受け座６５１とキャップ付きねじ状の滑り子６５２とからなっている。前記受け座６５１は、中心凹孔６５１ａを有するものであって前記中棒１０の上端部１１に固着されている。前記ねじ状の滑り子６５２は、大径の上部６５２ａと小径の下部６５２ｂとその間に形成されている階段部６５２ｃとからなる。そして、前記下部６５２ｂが前記貫通孔２９を通過して前記受け座６５１の中心凹孔６５１ａ内に挿着され、前記上部６５２ａが該中心取付孔２８内にあってその階段部６５２ｃによって前記上ろくろ２０の階段部２８ａを回転・回動可能に引っ掛けられている。
【００２２】
図５は、本発明の第４実施形態の傘を示す。この傘では、中棒１０は、上端部１１が上端１０ａにおいて上向きに開口した中空状に形成されており、該上端部１１が上端１０ａから下向きに大径部１１１と小径部１１２とその間に形成されている階段部１１３とからなる構成とされている。そして、前記大径部１１１の周面には、その軸心を中心として互いに対称に位置する一対の通孔１１４，１１４が設けられている。
【００２３】
滑り部材は、前記中棒１０の大径部１１１の外側から一対の通孔１１４，１１４をそれぞれ通して前記大径部１１１の内に突出し、前記通孔１１４に受けられている一対のボール６８１，６８１と、これら一対のボール６８１，６８１の間に両ボール６８１，６８１を押圧して外向きに突出する付勢力を与えるように設けられている弾性部材であるばね６８２と、中空状の滑り子６８３とからなっている。なお、本実施形態では、前記ばね６８２がさらに安定して付勢力を与えるように、前記中棒１０の大径部１１１内に、該ばね６８２を収容するための通孔６８４ａを開設してある滑り座６８４が設けられている。
【００２４】
滑り子６８３は、中空の筒状に形成されており、その上部６８３Ａが前記上ろくろ２０の下部２２に他の横ピン２２８によって固定されている。この滑り子６８３の下部６８３Ｂは、前記中棒１０の大径部１１１を回転可能に外嵌している大径部６８３ａと、前記中棒１０の小径部１１２を回転可能に外嵌している小径部６８３ｂと、その間に形成されて前記中棒１０の階段部１１３に回転可能に引っかけられている階段部６８３ｃとからなっている。また、前記滑り子６８３の下部６８３Ｂには、環状凹溝８３１ｃが設けられている。そして、前記滑り子６８３は、階段部６８３ｃが前記中棒１０の階段部１１３に回転可能に引っかけられていると共に、前記凹溝８３１ｃが、前記ボール６８１，６８１における前記中棒１０の大径部１１１から突出している部分と弾性的に接触しながらそれらを受けていることによって、前記上ろくろ２０が前記中棒１０の回りを回転・回動できるようにしている。
【００２５】
【発明の効果】
以上の説明から明らかなように、本発明の傘によれば、骨組みや傘地などに力をかかると、前記上ろくろ、前記下ろくろ、前記骨組み及び傘地が共に前記中棒に対して回動することができるので、骨組、中棒が曲がったり折れたりすることや、人を刺して怪我をさせるケースを低減することができる。そのため、傘の使用における安全性を向上させることができると共に、傘の使用寿命を長くすることができる。
【図面の簡単な説明】
【図１】  本発明の前提となる参考例の要部縦断面図である。
【図２】  本発明にかかる第１実施形態の要部縦断面図である。
【図３】  本発明にかかる第２実施形態の要部縦断面図である。
【図４】  本発明にかかる第３実施形態の要部縦断面図である。
【図５】  本発明にかかる第４実施形態の要部縦断面図である。
【図６】従来の傘の基本構造の正面図である。
【符号の説明】
中棒…１０                        上端…１０ａ
下端…１０ｂ                      上端部…１１
上端部の内周面…１１ａ            大径部…１１１
小径部…１１２                    階段部…１１３
通孔…１１４                      鍔…１２
中孔…１２ａ                      上ろくろ…２０
上部…２１                        下部…２２
下端面…２５                      中心凹孔…２５２
中心凹孔…２６                    孔口…２６ａ
中心取付孔…２８                  階段部…２８ａ
貫通孔…２９                      下ろくろ…３０
骨組み…４０                      傘地…５０
滑り座…６２１                    内壁…６２１ａ
鍔…６２１ｂ                      中孔…６２１ｃ
滑り子…６２２                    小径の上部…６２２ａ
大径の下部…６２２ｂ              階段部…６２２ｃ
受け座…６４１                    中孔…６４１ａ
滑り子…６４２                    大径の上部…６４２ａ
小径の下部…６４２ｂ              階段部…６４２ｃ
受け座…６５１                    中心凹孔…６５１ａ
滑り子…６５２                    大径の上部…６５２ａ
小径の下部…６５２ｂ              階段部…６５２ｃ
ボール…６８１                    ばね…６８２
滑り子…６８３                    上部…６８３Ａ
下部…６８３Ｂ                    大径部…６８３ａ
小径部…６８３ｂ                  階段部…６８３ｃ
環状凹溝…８３１ｃ
【図１】
0003828092.tif 000002
【図２】
0003828092.tif 000003
【図３】
0003828092.tif 000004
【図４】
0003828092.tif 000005
【図５】
0003828092.tif 000006
【図６】
0003828092.tif 000007